(57)【特許請求の範囲】
【請求項１】
挿し穂から発根させる工程において、
挿し穂に照射される自然光のうち、波長域４００ｎｍ以下の光の少なくとも一部を吸収し、波長域５５０ｎｍ〜７００ｎｍの光として放射し、かつ、
挿し穂に照射される自然光のうち、波長域７００ｎｍ〜１０００ｎｍの光の少なくとも一部を吸収することにより、挿し穂から発根させる発根方法。
【請求項２】
挿し穂から発根させる工程において、
挿し穂に照射される自然光のうち、波長域４００ｎｍ以下の光の少なくとも一部を吸収し、波長域５５０ｎｍ〜７００ｎｍの光を放射し、かつ波長域７００ｎｍ〜１０００ｎｍの光の少なくとも一部を吸収する光吸収材を備えた被覆材により、挿し穂の少なくとも一部を覆って、挿し穂から発根させる請求項１に記載の発根方法。
【請求項３】
被覆材と、該被覆材に重なるように配した遮光材と、により挿し穂を覆う、請求項２に記載の発根方法。
【請求項４】
被覆材により、挿し穂の上方及び側方を覆う、請求項２又は３に記載の発根方法。
【請求項５】
挿し穂が、サクラ、リンゴ、ユーカリ、スギ及びマツから選ばれる植物の挿し穂である、請求項１〜４のいずれか１項に記載の発根方法。
【請求項６】
挿し穂から発根させるための発根設備であって、
挿し穂の少なくとも一部を覆う被覆材を備え、
被覆材が、挿し穂に照射される自然光のうち、波長域４００ｎｍ以下の光の少なくとも一部を吸収し、波長域５５０ｎｍ〜７００ｎｍの光を放射し、かつ、波長域７００ｎｍ〜１０００ｎｍの光の少なくとも一部を吸収する光吸収材を有する発根設備。
【請求項７】
被覆材とともに挿し穂を覆う遮光材を備える請求項６に記載の発根設備。
【発明の詳細な説明】
【技術分野】
【０００１】
本発明は、発根方法及び発根設備に関する。
【背景技術】
【０００２】
挿し木は、人為的に切断された植物組織（挿し穂）を用いて発根床内で発根させ、独立した一つの植物体を作出する方法であり、遺伝的に均一な苗を大量増殖するのに優れた方法である。
【０００３】
挿し木による増殖は簡便で、一度に大量の苗を作出するのに適しており、優良な形質を持った個体を大量に増殖できることから商業的にも有利な方法とされている。しかし、挿し木では発根が困難な植物種や品種も多い。このような問題を解決するものとして、例えば特許文献１に記載の方法等が提案されている。
【０００４】
特許文献１には、炭酸ガスを供給可能な培養容器内に、窒素、リン、カリウムを必須元素として含み、かつ炭素源を含まない液体培地で湿潤させた発根床を用意し、これに挿し穂を挿しつけて培養し、培養容器内の炭酸ガス濃度を制御しつつ、挿し穂からの発根を行わせる方法が開示されている。
【先行技術文献】
【特許文献】
【０００５】
【特許文献１】特許第３８６１５４２号公報
【発明の概要】
【発明が解決しようとする課題】
【０００６】
特許文献１に記載の方法によれば、挿し穂の発根率を高めることができるが、培養容器に炭酸ガスを供給するための高度な培養設備等が必要であり、広く展開するにあたり、設備の簡易化が求められていた。
【０００７】
本発明は、発根が困難な植物においても適用でき、設備の簡易化が可能な発根方法の提供を目的とする。
【課題を解決するための手段】
【０００８】
本発明者らは、上記課題を解決すべく鋭意検討した結果、挿し穂から発根させる工程において、挿し穂に照射される光のうち、波長域４００ｎｍ以下の光の少なくとも一部を吸収して波長域５５０ｎｍ〜７００ｎｍの光を放射するか、又は、挿し穂に照射される光のうち、波長域７００ｎｍ〜１０００ｎｍの光の少なくとも一部を吸収することにより、発根が容易な植物だけでなく、従来、発根が困難であるとされてきた植物においても発根率を向上させることができ、設備の簡易化も可能であるという知見が得られた。本発明はかかる新規な知見に基づくものである。
【０００９】
本発明は、以下の〔１〕〜〔７〕を提供する。
〔１〕挿し穂から発根させる工程において、挿し穂に照射される光のうち、波長域４００ｎｍ以下の光の少なくとも一部を吸収して波長域５５０ｎｍ〜７００ｎｍの光を放射するか、又は、挿し穂に照射される光のうち、波長域７００ｎｍ〜１０００ｎｍの光の少なくとも一部を吸収することにより、挿し穂から発根させる発根方法。
〔２〕挿し穂から発根させる工程において、挿し穂に照射される光のうち、波長域４００ｎｍ以下の光の少なくとも一部を吸収して波長域５５０ｎｍ〜７００ｎｍの光を放射する光交換材、又は、挿し穂に照射される光のうち、波長域７００ｎｍ〜１０００ｎｍの光の少なくとも一部を吸収する光吸収材を備えた被覆材により、挿し穂の少なくとも一部を覆って、挿し穂から発根させる、上記〔１〕に記載の発根方法。
〔３〕被覆材と、該被覆材に重なるように配した遮光材と、により挿し穂を覆う、上記〔２〕に記載の発根方法。
〔４〕被覆材により、挿し穂の上方及び側方を覆う、上記〔２〕または〔３〕に記載の発根方法。
〔５〕挿し穂が、サクラ、リンゴ、ユーカリ、スギ及びマツから選ばれる植物の挿し穂である、上記〔１〕〜〔４〕のいずれか１項に記載の発根方法。
〔６〕挿し穂から発根させるための発根設備であって、挿し穂の少なくとも一部を覆う被覆材を備え、被覆材が、挿し穂に照射される光のうち、波長域４００ｎｍ以下の光の少なくとも一部を吸収して波長域５５０ｎｍ〜７００ｎｍの光を放射する光変換材、又は挿し穂に照射される光のうち、波長域７００ｎｍ〜１０００ｎｍの光の少なくとも一部を吸収する光吸収材を有する発根設備。
〔７〕被覆材とともに挿し穂を覆う遮光材を備える上記〔６〕に記載の発根設備。
【発明の効果】
【００１０】
本発明によれば、発根が困難な植物においても適用でき、設備を簡易化可能な発根方法を提供することができる。
【図面の簡単な説明】
【００１１】
【図１】図１は、実施例において用いた発根設備の断面図である。
【図２】図２は、実施例において用いた発根設備の斜視図である。
【発明を実施するための形態】
【００１２】
本発明を適用可能な植物としては特に限定はないが、例えば、ユーカリ、スギ、マツ、アカシア、ヤマモモ、クヌギ、ブドウ、リンゴ、サクラ、バラ、ツバキ、ウメ等の木本植物、キクやカーネーション等の草本植物等が挙げられる。本発明は、従来、発根しにくいとされてきた植物にも、そうでないものにも、適用することができる。従来法で発根しにくいとされてきた植物においても発根させるのが可能であるという観点から、本発明を適用する植物としては、サクラ、リンゴ、ユーカリ、スギ、マツが好ましい。
【００１３】
挿し穂としては、植物の少なくとも一部であればよく、緑枝（当年枝）、熟枝（前年以前に伸びた枝）等の枝；頂芽、腋芽などの芽；葉、子葉；胚軸などが例示される。木本植物の場合の挿し穂は、通常は緑枝又は熟枝であり、草本植物の場合の挿し穂は、通常は葉又は芽であるが、これらには限定されない。
【００１４】
不定根を形成することが期待されるという観点から、挿し穂としてシュートを用いてもよい。シュートとは、発根能を有する組織全般をいう。該組織としては、枝、茎、頂芽、腋芽、不定芽、葉、子葉、胚軸、不定胚、苗条原基等が例示される。シュートの由来は特に限定されず、温室又は屋外に生育している植物個体から得られる組織でもよいし、組織培養法により得られた培養組織であってもよいし、天然の植物体の一部の組織であってもよい。シュートは、挿し穂の母本植物、又は多芽体から効率良く取得することができる。中でも、挿し穂（母本植物から得た挿し穂）、母本植物から採取した器官を無菌的に培養することにより得た多芽体、もしくは前記器官を無菌的に育成して得た茎葉であることが好ましい。
【００１５】
多芽体は、本発明を適用してクローン苗を生産しようとする植物から、頂芽、腋芽等の組織を切取って、これを組織培養して誘導することができる。多芽体を、母本植物から採取した器官を無菌的に培養して、形成させるには、特開平８−２２８６２１号公報に記載の方法、条件に従って行い得る。その方法、条件は概ね次の通りである。まず、材料とする植物から頂芽、腋芽等の組織を採取し、採取した組織について、有効塩素量約０．５％〜約４％の次亜塩素酸ナトリウム水溶液又は有効塩素量約５％〜約１５％の過酸化水素水溶液に約１０分〜約２０分間浸漬して表面殺菌を行う。次いで、これを滅菌水で洗浄し、固体培地に挿し付けて芽を開じょさせ、伸長してきた茎葉を同じ組成の培地で継代培養することにより、多芽体を形成させる。ユーカリ属又はアカシア属の組織（例えば腋芽）を用いる場合には、固体培地は、ショ糖１〜５重量％、植物ホルモンとしてベンジルアデニン（以下、ＢＡと略す。）約０．０２ｍｇ／Ｌ以上約１ｍｇ／Ｌ以下、ゲランガム約０．２重量％以上約０．３重量％若しくは寒天約０．５重量％以上約１重量％以下を含有するムラシゲスクーグ（以下、ＭＳと略す。）培地、又は、ＭＳ培地の硝酸アンモニウム成分と硝酸カリウム成分とを半減させた改変ＭＳ培地を用いるのが好ましい。こうして形成された多芽体からは活発にシュートが伸長してくる。多芽体自体は、適当に分割して多芽体形成に用いた培地と同一組成の培地で培養することにより維持し、増殖させることができる。
【００１６】
挿し穂から発根させる工程における、栽培環境の炭酸ガス濃度は、通常３００ｐｐｍ〜１５００ｐｐｍであり、５００ｐｐｍ〜１５００ｐｐｍであることが好ましく、７５０ｐｐｍ〜１２５０ｐｐｍであることがより好ましく、９００ｐｐｍ〜１０００ｐｐｍであることがさらに好ましい。炭酸ガスの供給量の制御は、人工気象器等の設備、二酸化炭素透過性の膜を開口部に有する培養容器などを利用して行うことができる。
【００１７】
挿し穂から発根させる工程における栽培環境の湿度は、６０％Ｒｈ以上であるのが好ましい。湿度は対象とする植物によって適宜調整することができ、通常は８０％Ｒｈ以上であることがより好ましく、９０％Ｒｈ以上であることがさらに好ましい。湿度が上記範囲であることにより、植物からの発根を促進することができる。湿度の上限については特に制限はなく、１００％Ｒｈ以下であればよい。カビが増殖しやすい植物の場合、８０％Ｒｈ以下であることがより好ましく、７０％Ｒｈ以上であることがさらに好ましい。
【００１８】
挿し穂から発根させる工程において、通常は発根用培地を用いる。本発明において発根用培地とは、挿し穂から発根させるために用いられる培地を意味する。
【００１９】
発根用培地は、液体培地、固体培地のいずれであってもよい。発根用培地には、無機成分、炭素源、ビタミン類、アミノ酸類及び植物ホルモン類、肥料等、植物に適合した他の成分を添加することができる。
【００２０】
植物ホルモンとしては、オーキシン、サイトカイニン等が例示される。オーキシン類としては、ナフタレン酢酸（ＮＡＡ）、インドール酢酸（ＩＡＡ）、ｐ−クロロフェノキシ酢酸、２，４−ジクロロフェノキシ酢酸（２，４Ｄ）、インドール酪酸（ＩＢＡ）及びこれらの誘導体等が例示される。オーキシンは、１種であってもよいし２種以上の組み合わせであってもよい。サイトカイニンとしては、ベンジルアデニン（ＢＡ）、カイネチン、ゼアチン、これらの誘導体等が例示される。サイトカイニンは、１種であってもよいし、２種以上の組み合わせであってもよい。植物ホルモンは、オーキシン及びサイトカイニンのいずれか一方であってもよいし、オーキシンとサイトカイニンの組み合わせであってもよい。植物ホルモンとしては、発根を促進するという観点から、ＩＢＡが好ましい。
【００２１】
発根用培地中の植物ホルモンの濃度は、植物ホルモンを１種用いる場合には０．００１ｍｇ／ｌ〜１０ｍｇ／ｌであることが好ましく、０．０１ｍｇ／ｌ〜１０ｍｇ／ｌであることがより好ましい。植物ホルモンが２種以上の場合にはそれぞれ、０．００１ｍｇ／ｌ〜１０ｍｇ／ｌであることが好ましく、０．０１ｍｇ／ｌ〜１０ｍｇ／ｌであることがより好ましい。
【００２２】
発根用培地は、植物組織培養用培地として公知の培地に、必要に応じて、銀イオン及び／又は抗酸化剤、炭素源、もしくは、植物ホルモン類を適宜添加した培地を用いてもよい。植物組織培養用培地として公知の培地としては、ＭＳ培地、リンスマイヤースクーグ培地、ホワイト培地、ガンボーグのＢ−５培地、ニッチニッチ培地等が例示される。
【００２３】
発根用培地への挿し穂の挿し付け方法は、培地の種類、培養条件等により適宜選択すればよい。発根用培地が固体培地の場合は、発根用培地に挿し穂の基部を直接挿し付けて培養すればよい。一方、発根用培地が液体培地の場合は、例えば、後述の挿し床用の用土を発根用培地で湿潤させてから、挿し穂の基部を挿し付けて培養すればよい。なお、発根用培地に挿し付ける時に挿し穂の基部に傷をつけるといった物理的刺激を加えることも、発根率の向上のために好ましい。挿し穂の基部とは、挿し穂の一端であって根が形成される領域（葉の形成される端部に対し反対側）を意味する。挿し穂として多芽体を用いる場合の基部は、多芽体を分割する際の切断面を有する領域である。挿し穂の基部への傷のサイズ（大きさ、形状など）は特に限定されない。例えば、挿し穂として多芽体を用いる場合、挿し穂の基部（上述の切断面）を正面方向から見た際に十字型となるような傷を付けることが好ましい。傷を付ける際には、ハサミ、ナイフなどの器具を用いることができる。
【００２４】
挿し床用の用土は、栽培の期間中挿し穂を指しつけた状態で保持できるものが好ましい。栽培にあたり液状の発根用培地を用いる場合には、通常、用土に浸潤させて用いられる。よって用土は液体で浸潤され得るものが好ましく、中でも、液体培地により実質的に均一に湿潤され得るものが好ましい。挿し床用の用土としては、従来慣用のものを用いればよく、特に限定されない。挿し床用の用土としては、砂、赤玉土等の自然土壌；籾殻燻炭、ココナッツ繊維、バーミキュライト、パーライト、ピートモス、ガラスビーズ等の人工土壌；発泡フェノール樹脂、ロックウール等の多孔性成形品などを例示することができる。これらのうち、赤玉土が好ましい。用土を培養容器内に入れることにより挿し床が調製され得る。なお、発根用培地が固体培地の場合には、固体培地を直接培養容器に入れることで、発根床が調製され得る。
【００２５】
本発明においては、発根用培地を納めるための培養容器を用いることが好ましい。培養容器としては、従来慣用の培養容器を用いることができ、特に限定されない。例えばセルトレー、育苗ポットなどが例示される。培養容器は密閉型でもよいし開放型でもよい。
【００２６】
挿し穂として枝を用いる場合には、培養容器として密閉型の培養容器を用いてもよい。これにより挿し穂を高湿度下に置くことが容易となるので、枝についた葉の蒸散作用が抑制され、従来行われていた葉の一部切除処理を省略することができ、好ましい。
【００２７】
培養容器は、容器内への炭酸ガス供給が可能な容器であってもよい。このような培養容器としては、二酸化炭素透過性の膜で蔽われた開口部を有する容器が例示される。二酸化炭素透過性の膜で蔽われた開口部を有する容器を用いることにより、培養環境の湿度をも容易に調整しうる。開口部の形状は特に問わない。二酸化炭素透過性の膜の材料は特に限定されず、ポリテトラフルオロエチレンなどが例示される。膜の孔径も特に限定されず、例えば約０．１μｍ以上約１μｍ以下の孔径の膜が挙げられる。
【００２８】
本発明において、発根用培地の温度は、通常は２０℃〜３０℃であり、２２℃〜２６℃であることが好ましい。
【００２９】
本発明は、挿し穂から発根させる工程において、挿し穂に照射される光のうち、波長域４００ｎｍ以下の光の少なくとも一部を吸収して波長域５５０ｎｍ〜７００ｎｍの光を放射するか、又は、挿し穂に照射される光のうち、波長域７００ｎｍ〜１０００ｎｍの光の少なくとも一部を吸収することを特徴とする。
【００３０】
本発明の好ましい一態様においては、挿し穂から発根させる工程において、挿し穂に照射される光のうち、波長域４００ｎｍ以下の光の少なくとも一部を吸収して波長域５５０ｎｍ〜７００ｎｍの光を放射する光交換材、又は、挿し穂に照射される光のうち、波長域７００ｎｍ〜１０００ｎｍの光の少なくとも一部を吸収する光吸収材を備えた被覆材により、挿し穂の少なくとも一部を覆って、挿し穂から発根させる。該態様においては、挿し穂に照射される光のうち、波長域４００ｎｍ以下の光の少なくとも一部を吸収して波長域５５０ｎｍ〜７００ｎｍの光を放射する光変換材、又は挿し穂に照射される光のうち、波長域７００ｎｍ〜１０００ｎｍの光の少なくとも一部を吸収する光吸収材を有する被覆材を備えた発根設備を用いるのが好ましい。
【００３１】
光交換材は、自然光及び／または人工光の照射により光を発するものであって、波長域４００ｎｍ以下の光の少なくとも一部を吸収し、かつ、波長域５５０ｎｍ〜７００ｎｍの光を放射するものである。波長域４００ｎｍ以下の光を吸収するとともに波長域５５０ｎｍ〜７００ｎｍの光を放射することで、紫外線による影響を低減し、発根を促進する光が挿し穂に照射され、発根が促進されると考えられる。光交換材としては波長域４００ｎｍ以下の光の７０％以上を吸収するものが好ましく、８０％以上を吸収するものがより好ましい。また、光変換材は、発根を促進するという観点から、６１０ｎｍ〜７００ｎｍの波長域の光を放射するものが好ましい。
【００３２】
挿し穂の発根を行う栽培環境の温度及び培地の温度の上昇を防止するという観点から、光変換材としては４００ｎｍ〜６００ｎｍの波長域の光を遮光するものが好ましく、該波長域の光を３０％以上遮光するものが、より好ましく、該波長域の光を４０％以上遮光するものがさらに好ましい。
【００３３】
有害な波長域の紫外線の挿し穂に与える影響を防止するという観点から、光変換材としては、波長域２８０ｎｍ〜３２０ｎｍ（ＵＶ−Ｂ）の減衰率が５．５〜１２．０％であるものが好ましく、加えて、波長域２５０ｎｍ〜２８０ｎｍ（ＵＶ−Ｃ）の減衰率が１７．５〜２８．０％であると、さらに好ましい。
【００３４】
光変換材としては、例えば、波長域４００ｎｍ以下の光を吸収し、かつ、５５０ｎｍ〜７００ｎｍの波長域の光を放射する色素と、ポリエステル、ナイロン、ポリカーボネート、ポリ（メタ）アクリレート、ポリオレフィン、ポリ塩化ビニル等の熱可塑性樹脂であって透光性のものと、を含むフィルム状またはシート状のものを用いることができる。この場合、蛍光色素の熱可塑性樹脂に対する含有割合は０．００１〜０．０３質量％であってもよい。光交換材がフィルム状またはシート状の場合、その厚みは限定されないが、５０μｍ〜７００μｍであるのが好ましく、１００μｍ〜５００μｍがより好ましい。
【００３５】
光吸収材は、波長域７００ｎｍ〜１０００ｎｍの光の少なくとも一部を吸収するものであれば、特に限定されない。波長域７００ｎｍ〜１０００ｎｍの光を吸収することにより栽培環境の温度上昇や培地の温度上昇を抑制し、発根を促進すると考えられる。光吸収材としては、波長域９００ｎｍ〜１０００ｎｍの光を遮蔽するものが好ましい。
【００３６】
本発明においては、光吸収材としては可視光線を６０〜８０％透過するものが好ましい。
【００３７】
光吸収材としては、例えば、透明樹脂からなる基材の少なくとも一方の面に硫黄系化合物および銅系化合物等の波長域７００ｎｍ〜１０００ｎｍの光を吸収する作用を有する粒子を含む光吸収層を積層してなるフィルムまたはシートを用いることができる。光吸収材がフィルム状またはシート状の場合、その厚みは１０〜２００μｍであるのが好ましい。
【００３８】
被覆材の構成は、挿し穂から発根させる工程において挿し穂の少なくとも一部を被覆可能であれば特に限定されないが、例えば、袋状、フィルム状、シート状またはネット状の光交換材又は光吸収材を備えるものや、フィルム状、シート状またはネット状の光交換材又は光吸収材と、該光交換材又は光吸収材を支持する支持体と、を備えるものなどが挙げられる。また、被覆材は、薄膜状の光交換材又は光吸収材と、プラスチックフィルム等との積層体であって、該積層体が袋状、フィルム状、シート状またはネット状をなす構成であってもよいし、該積層体と該積層体を支持する支持体とを備える構成であってもよい。
【００３９】
被覆材により挿し穂を覆う態様については、特に限定されない。例えば、フィルム状、シート状またはネット状の光交換材又は光吸収材を、挿し穂を挿した培養容器を収容するビニルハウスの外側または内側に展張することにより挿し穂を覆ってもよいし、フィルム状、シート状またはネット状の光交換材又は光吸収材を、ドーム状の支持体の上に被せつけて挿し穂を覆ってもよいし、袋状の光交換材又は光吸収材の内部に挿し穂を培養容器ごと収容することにより挿し穂を覆ってもよい。
【００４０】
被覆材が、発根工程にある挿し穂を覆っていれば本発明の効果は発揮されるが、波長域４００ｎｍ以下の光を吸収して波長域５５０ｎｍ〜７００ｎｍの光を放射することにより得られる効果、又は、波長域７００ｎｍ〜１０００ｎｍの光を吸収することにより得られる効果を、より効果的なものとするという観点から、被覆材は、挿し穂の上方及び側方を被覆するものが好ましく、挿し穂に照射される光の照射領域の全域を被覆するものがより好ましい。
【００４１】
また、挿し穂からの発根をより促進するという観点から、被覆材とともに遮光材料からなる遮光材により挿し穂を覆うことができる。遮光材により、例えば光量の多い春〜夏の時期に、効率良く培養容器内を発根に適した光条件や温度環境に調整することが可能となる。遮光材により挿し穂の一部を覆っていれば遮光材の効果は発揮されるが、挿し穂に照射される光の照射領域の全域を覆う構成が好ましい。遮光材としては遮光率が３０％以上７０％以下のものが好ましく、４０％以上６０％以下のものが、より好ましい。遮光材としては寒冷紗や農業用の遮光シート等を用いることができる。
【００４２】
挿し穂から発根させる工程における栽培環境の温度は、２０℃以上であるのが好ましく、２２℃以上であるのがより好ましく、２３℃以上であるのがさらに好ましい。栽培環境の温度の上限値は、３０℃以下が好ましく、２８℃以下であることがより好ましく、２６℃以下がさらに好ましい。
【００４３】
挿し穂から発根させる工程を実行する時期は、特に限定されないが、栽培温度や培地温度を適温に調整するのが容易であり、設備の簡易化が可能であるという観点から、日本であれば４〜９月が好ましい。本発明においては、波長域４００ｎｍ以下の光の少なくとも一部を吸収して波長域５５０ｎｍ〜７００ｎｍの光を放射する光交換材、又は、波長域７００ｎｍ〜１０００ｎｍの光の少なくとも一部を吸収する光吸収材を備える被覆材で挿し穂を被覆するので、紫外線量が多く、外気温が高くなる時期に屋外のビニルハウス内等で発根工程を実行しても、栽培環境の温度が過度に上昇することを抑制することができる。
【００４４】
挿し穂から発根させる工程の期間は、植物種によっても異なるが、通常は２週間〜３ヶ月であり、４週間〜２ヶ月であることが好ましい。挿し穂から発根させる工程は、挿し穂から発根が観察されるまで続ければよい。
【００４５】
照射の明期と暗期の繰り返しの周期は特に限定されないが、２４時間あたりの明期１４時間〜１８時間／暗期６時間〜１０時間であることが好ましい。
【００４６】
挿し穂から発根させる工程における、明期と暗期の配分は、通常は１：１〜３：１であり、３：２〜５：２であることが好ましい。
【実施例】
【００４７】
以下実施例により本発明を説明するが本発明はこれに限定されない。
【００４８】
（実施例１）
ソメイヨシノの当年枝より挿し穂となる枝を採取し、この枝を、最下部の葉から２ｃｍの下で切断し挿し穂を調整した。培養容器としてセルトレーを用い、赤玉小粒土（簗島商事（株）製）を充填し挿し床を調整した。上述のようにして調整した挿し穂の基部（切断部）をオキシベロン（登録商標）液剤の４倍希釈液（バイエルクロップサイエンス（株）製、ＩＢＡを含む植物ホルモン、植物ホルモンの濃度は１ｍｇ／ｌ）に１０秒浸漬した後、該挿し穂を基部から１．５ｃｍのところまで、挿し床に挿しつけたものを、屋外の発根設備内に配置して４週間培養した。光源は太陽光のみとした。発根設備内の平均温度は２０℃で、外気温の平均は２０℃であった。培地として水を使用した。発根設備としては、外側（外気側）から順に、遮光材（ダイオ化成（株）製、寒冷紗、遮光率７０％）と、被覆材（シート状の光吸収材、三菱樹脂アグリドリーム（株）製、「メガクール（登録商標）」）とを重ねて、ドーム状の支持体に被せて作製したトンネル形状のものを使用した（詳細は後述する）。光交換材は挿し穂の上方及び側方を覆うように配した。培養後の挿し穂を肉眼により観察し、根が確認されれば発根したと判断した。各試験区の挿し穂の数（挿し木本数）、４週間後の各試験区あたりの発根数、発根率、及び生存率を表１に示した。
【００４９】
（実施例２）
シート状の光吸収材に代えて、シート状の光交換材（マテリアルサイエンス（株）製、「スカーレット（登録商標）」）を、被覆材として用いたこと以外は実施例１と同様にして、挿し穂を４週間培養した。
【００５０】
（比較例１）
被覆材を使用しなかったこと以外は実施例１と同様にして、挿し穂を４週間培養した。
【００５１】
光吸収材として用いた「メガクール」について、以下の方法により、照射される光のうち、波長域７００ｎｍ〜１０００ｎｍの光の少なくとも一部を吸収することを確認した。自記分光光度計（島津製作所（株）製）を用いて、「メガクール」に照射される光の全光線透過率を測定した。その結果、波長７００ｎｍの光の透過率は６５．１％、波長８５０ｎｍの光の透過率は５０．３％、波長１０００ｎｍの光の透過率は７１．２％であった。
【００５２】
また、光交換材として用いた「スカーレット」について、以下の方法により、波長域４００ｎｍ以下の光の少なくとも一部を吸収して波長域５５０ｎｍ〜７００ｎｍの光を放射することを確認した。自記分光光度計（島津製作所（株）製）を用いて「スカーレット」に照射される光の全光線透過率を測定した。その結果、波長３００ｎｍの光の透過率は１２．０％、波長４００ｎｍの光の透過率は６０.５％、波長５５０ｎｍの光の透過率は７４．３％、波長６５０ｎｍの光の透過率は１０３.０％、波長７００ｎｍの光の透過率は９２％であった。
【００５３】
実施例で用いた発根設備について説明する。発根設備１はトンネル形状をなし、その内部に挿し床５に挿しつけた挿し穂６が配置される。挿し床５は地面７の上に載置される。発根設備１は、挿し穂５の上部及び側方の全域を覆う被覆材２（光変換材または光吸収材）と、被覆材２の上に重ねて配される遮光材４と、を備える。被覆材２は、ドーム状をなす支持体３の上に被せつけられている。支持体３は、半円状をなす部分と、半円状部分の端部が接合される棒状部分とを備える（図２を参照）。図２において、発根設備１の左右の端部は、開口しているが、実施例の発根方法を実行する際には前記開口は被覆材２及び遮光材４により覆われている。
【００５４】
【表１】
0006726482.tif 000002
【００５５】
表１に示すように、比較例１と比較して実施例１及び２の発根率及び生存率は高かった。この結果から、本発明によれば、挿し穂の発根率及び生存率を向上させることができるということがわかった。また、本発明によれば、波長域４００ｎｍ以下の光の少なくとも一部を吸収して波長域５５０〜７００ｎｍの光を放射する光交換材、又は、波長域７００ｎｍ〜１０００ｎｍの光の少なくとも一部を吸収する光吸収材を備えた被覆材で挿し穂を覆うことにより挿し穂から発根させることができるので、設備の簡易化を図ることができるということがわかった。
【００５６】
（実施例３）
挿し穂として、ソメイヨシノに代えて、ケント（リンゴ）の当年枝より挿し穂となる枝を採取し、この枝を、最下部の葉から２ｃｍの下で切断して調整した挿し穂を用いたこと、培養期間を８週間としたこと、挿し穂の数を３８本としたこと以外は、実施例１と同様にして挿し穂を培養した。各試験区の挿し穂の数（挿し木本数）、８週間後の各試験区あたりの発根数、発根率、及び生存率を表２に示した。発根設備内の平均温度は２１℃で、外気温は平均２１℃であった。
【００５７】
（実施例４）
シート状の光吸収材に代えて、シート状の光交換材（マテリアルサイエンス製、「スカーレット」）を被覆材として用いたこと、挿し穂の数を１０４本としたこと以外は実施例３と同様にして、挿し穂を８週間培養した。
【００５８】
（比較例２）
被覆材を使用しなかったこと、挿し穂の数を１０４本としたこと以外は実施例３と同様にして、挿し穂を８週間培養した。
【００５９】
【表２】
0006726482.tif 000003
【００６０】
表２に示すように、比較例２と比較して実施例３及び４の発根率及び生存率は高かった。この結果から、本発明によれば、ソメイヨシノよりも発根しにくいケント（リンゴ）においても、挿し穂の発根率及び生存率を向上させることができるということがわかった。また、本発明によれば、波長域４００ｎｍ以下の光の少なくとも一部を吸収して波長域５５０ｎｍ〜７００ｎｍの光を放射する光交換材、又は、波長域７００ｎｍ〜１０００ｎｍの光の少なくとも一部を吸収する光吸収材を備えた被覆材で挿し穂を覆うことにより挿し穂から発根させることができるので、設備の簡易化を図ることができるということがわかった。
【００６１】
（実施例５）
挿し穂として、ソメイヨシノに代えて、アルビータ（ユーカリ）の当年枝より挿し穂となる枝を採取し、この枝を、最下部の葉から２ｃｍの下で切断して調整した挿し穂を用いたこと、培養期間を８週間としたこと、挿し穂の数を２０本としたこと以外は、実施例１と同様にして挿し穂を培養した。各試験区の挿し穂の数（挿し木本数）、８週間後の各試験区あたりの発根数、発根率、及び生存率を表３に示した。
【００６２】
（実施例６）
シート状の光吸収材に代えて、シート状の光交換材（マテリアルサイエンス製、「スカーレット」）を被覆材として用いたこと以外は実施例５と同様にして、挿し穂を８週間培養した。
【００６３】
（比較例３）
被覆材を使用しなかったこと以外は実施例５と同様にして、挿し穂を８週間培養した。
【００６４】
【表３】
0006726482.tif 000004
【００６５】
表３に示すように、比較例３と比較して実施例５及び６の発根率及び生存率は高かった。この結果から、本発明によれば、従来、発根が困難であるとされてきたアルビータ（ユーカリ）においても、挿し穂の発根率及び生存率を向上させることができるということがわかった。また、本発明によれば、波長域４００ｎｍ以下の光の少なくとも一部を吸収して波長域５５０ｎｍ〜７００ｎｍの光を放射する光交換材、又は、波長域７００ｎｍ〜１０００ｎｍの光の少なくとも一部を吸収する光吸収材を備えた被覆材で挿し穂を覆うことにより挿し穂から発根させることができるので、設備の簡易化を図ることができるということがわかった。
【符号の説明】
【００６６】
１：発根設備
２：被覆材
３：支持体
４：遮光材
５：挿し床
６：挿し穂
７：地面
【図１】
0006726482.tif 000005
【図２】
0006726482.tif 000006